(57)【特許請求の範囲】
【請求項１】
ａ）エーテル化したヒドロキシエチルセルロース、
ｂ）塩化ベンザルコニウム、
ｃ）１，３−プロパンジオール、および
ｄ）水
を含み、エーテル化したヒドロキシエチルセルロースが、下記式で表される、医療用ジェル。
【化１】
0005881698.tif 000013
【請求項２】
エーテル化したヒドロキシエチルセルロースが、医療用ジェルにおいて１重量％〜４重量％の間で存在する、請求項１に記載の医療用ジェル。
【請求項３】
エーテル化したヒドロキシエチルセルロースが、医療用ジェルにおいて２．２重量％〜２．７重量％の間で存在する、請求項１または２に記載の医療用ジェル。
【請求項４】
エーテル化したヒドロキシエチルセルロースの粘性が、２％水溶液の場合、１００，０００ｃｐｓである、請求項１〜３のいずれか一項に記載の医療用ジェル。
【請求項５】
塩化ベンザルコニウムが、医療用ジェルにおいて０．０９０重量％〜０．１１０重量％の間で存在する、請求項１〜４のいずれか一項に記載の医療用ジェル。
【請求項６】
塩化ベンザルコニウムが、医療用ジェルにおいて０．０９５重量％〜０．１０５重量％の間で存在する、請求項１〜５のいずれか一項に記載の医療用ジェル。
【請求項７】
１，３−プロパンジオールが、医療用ジェルにおいて３．０重量％〜３．５重量％の間で存在する、請求項１〜６のいずれか一項に記載の医療用ジェル。
【請求項８】
１，３−プロパンジオールが、医療用ジェルにおいて３．１重量％〜３．３重量％の間で存在する、請求項１〜７のいずれか一項に記載の医療用ジェル。
【請求項９】
水が、医療用ジェルにおいて８０重量％〜９９重量％の間で存在する、請求項１〜８のいずれか一項に記載の医療用ジェル。
【請求項１０】
水が、医療用ジェルにおいて９３重量％〜９６重量％の間で存在する、請求項１〜９のいずれか一項に記載の医療用ジェル。
【請求項１１】
ａ）医療用ジェルにおいて１重量％〜４重量％で存在するエーテル化したヒドロキシエチルセルロース、
ｂ）医療用ジェルにおいて０．０９０重量％〜０．１１０重量％で存在する塩化ベンザルコニウム、
ｃ）医療用ジェルにおいて３．０重量％〜３．５重量％で存在する１，３−プロパンジオール、および、
ｄ）医療用ジェルにおいて８０重量％〜９９重量％で存在する水
を含み、エーテル化したヒドロキシエチルセルロースが、下記式で表される、超音波医療用ジェル。
【化２】
0005881698.tif 000014
【請求項１２】
エーテル化したヒドロキシエチルセルロースが、医療用ジェルにおいて２．２重量％〜２．７重量％の間で存在する、請求項１１に記載の医療用ジェル。
【請求項１３】
エーテル化したヒドロキシエチルセルロースの粘性が、２％水溶液の場合、１００，０００ｃｐｓである、請求項１１または１２に記載の医療用ジェル。
【請求項１４】
塩化ベンザルコニウムが、医療用ジェルにおいて０．０９５重量％〜０．１０５重量％の間で存在する、請求項１１〜１３のいずれか一項に記載の医療用ジェル。
【請求項１５】
１，３−プロパンジオールが、医療用ジェルにおいて３．１重量％〜３．３重量％の間で存在する、請求項１１〜１４のいずれか一項に記載の医療用ジェル。
【請求項１６】
水が、医療用ジェルにおいて９３重量％〜９６重量％の間で存在する、請求項１１〜１５のいずれか一項に記載の医療用ジェル。
【発明の詳細な説明】
【技術分野】
【０００１】
本開示は、超音波処置における使用のためのような医療用ジェルに関する。具体的には、本開示は、抗微生物医療用ジェル、および、かかる抗微生物医療用ジェルの製造方法に関する。
【背景技術】
【０００２】
下記のものは、以下で議論する如何なるものも先行技術または当業者の共通する一般的な知識の一部であるということを承認するものではない。
【０００３】
医療用ジェルは普通、表皮超音波、物理療法、医療的な美容処置、および他の関係する処置のために使用され、トランスデューサー（またはプローブ）と皮膚との間の潤滑剤およびカプラント（couplant）の両方に使用される。
【０００４】
典型的な医療用ジェルは、保管の間の細菌の増殖を妨げる防腐剤を含むため、「静菌性（bacteriostatic）」と考えられている。しかしながら、防腐剤は、細菌の増殖を制限するのみで、処置の間、ジェルがさらされている細菌を減らすまたは殺すことはない。さらに、防腐剤は、処置の間、感染した患者からトランスデューサーまたはプローブへの細菌の移動を抑制しない。したがって、医療用ジェルはクロスコンタミネーションの媒体として、感染の深刻なリスクを提示し得る。菌血症、敗血症、セパシア菌群（B. cepacia complex）、メチシリン感受性の黄色ブドウ球菌（Staphylococcus aureus）および肺炎桿菌（Klebsiella pneumoniae）などの院内病原の多数のケースは、感染患者によって汚染された医療用ジェルに遡る（１、２、３）。院内感染は、１年あたり１００，０００人を超える死者をもたらし、米国およびカナダの医療保険制度で年間３００億ドルを超える費用がかかる（４、５、６、７）。同様に、病院は、生命を救い、感染患者を処置するための経済的負担を低くするために院内の率を低減する努力を増大させている（７、８、９）。また、院内感染が、医療保険機関（healthcare institution）に対する訴訟の大きくなる脅威を示すという懸念の高まりが存在する（１０）。
【０００５】
表面の病原菌を除去するために、いくつかの医療用品が、患者の処置の間にオートクレーブ（蒸気）、ガス（化学薬品）または超音波浴によって殺菌されている。しかしながら、トランスデューサーまたはプローブのデバイスの内部回路や材料が熱、化学物質および機械的振動に極めて敏感なので、これらの方法はトランスデューサーおよびプローブを殺菌するために使用されることができない。そのため、製造業者は、そのような方法が製品の性能へダメージを与えるかもしれない、および／または変えるかもしれないので、そのような殺菌の方法を使用しないよう使用説明書において、はっきりと述べている。
【０００６】
代わりに、医療スタッフは 、処置の間、トランスデューサーまたはプローブを殺菌するために、低刺激性の溶剤（mild solvent）、多様な洗浄スプレー、および拭き取りを使用するよう指導されている。そのような洗浄手順は、処置の間に患者、医療用ジェル、トランスデューサーおよび他の媒介物の間で起こりうるクロスコンタミネーションのリスクに対処していない（１１，１２，１３）。さらに、それらは、環境調査がコンタミネーションの源として示しているもの−医療用ジェル、に対処していない。 そのため、医療用ジェルを経由して患者から患者への病原の伝染は、まだ起こる可能性がある。
【０００７】
超音波および他の局所的処置の間のクロスコンタミネーションのリスクを軽くするために、使用の間ジェルがさらされている細菌を殺す抗微生物医療用ジェルを製造するための試みがされている。例えば、国際特許出願公報No. WO 2007/038855 (O’Reilly et al.) は、光ベース（light-based）または超音波の皮膚の処置のためののためのカップリング媒体（coupling  media）および潤滑剤として役に立ち、溶媒、増粘剤および抗微生物剤、並びに、好ましくは生物粘着剤（bioadhesive）および湿潤剤（humectant）からなる医療用ジェルを開示している。
【発明の概要】
【０００８】
要約
次の要約は、読み手が理解するためのより詳細な議論を紹介するために提供される。要約は、請求項を限定または範囲を決定することを意図しない。
【０００９】
一側面によると、 医療用ジェルは、ａ）エーテル化したヒドロキシエチルセルロースを含むゲル化剤、ｂ）抗微生物剤、ｃ）溶媒、およびｄ）水、を含む。
【００１０】
エーテル化したヒドロキシエチルセルロースは、医療用ジェルにおいて１重量％〜４重量％の間で存在してもよい。より具体的には、エーテル化したヒドロキシエチルセルロースは、医療用ジェルにおいて２．２重量％〜２．７重量％の間で存在してもよい。
【００１１】
少なくとも、エーテル化したヒドロキシエチルセルロースの繰り返し単位のいくつかは、下記化学式のものでもよい。
【化１】
0005881698.tif 000002
【００１２】
１つの特定の例において、エーテル化したヒドロキシエチルセルロースは、式：
【化２】
0005881698.tif 000003
でもよい。
【００１３】
エーテル化したヒドロキシエチルセルロースの粘度は、２％の水溶液の場合、約１００，０００ｃｐｓでもよい。
【００１４】
抗微生物剤は、第四級アンモニウム化合物でもよい。例えば、抗微生物剤は塩化ベンザルコニウムでもよい。抗微生物剤は、医療用ジェルにおいて０．０９０重量％〜０．１１０重量％の間で存在してもよい。より具体的には、抗微生物剤は、医療用ジェルにおいて０．０９５〜０．１０５重量％の間で存在してもよい。
【００１５】
ゲル化剤は、ヒドロキシエチルセルロースまたはエーテル化したヒドロキシエチルセルロースでもよい。ゲル化剤は、医療用ジェルにおいて１重量％の間で存在してもよい。
【００１６】
溶媒は非石油系溶媒でもよい。例えば、溶媒はプロパンジオールでもよい。溶媒は、医療用ジェルにおいて３．０重量％〜３．５重量％の間で存在してもよい。より具体的には、溶媒は、医療用ジェルにおいて３．１重量％〜３．３重量％の間で存在してもよい。
【００１７】
水は、医療用ジェルにおいて８０重量％〜９９重量％の間で存在してもよい。より具体的には、水は医療用ジェルにおいて９３重量％〜９６重量％の間で存在してもよい。
【００１８】
他の一側面によると、医療用ジェルは、ａ）プロパンジオールを含む溶媒、ｂ）ゲル化剤、ｃ）抗微生物剤、およびｄ）水を含む。
【００１９】
プロパンジオールは、医療用ジェルにおいて３．０重量％〜３．５重量％の間で存在してもよい。より具体的には、プロパンジオールは、医療用ジェルにおいて３．１重量％〜３．３重量％の間で存在してもよい。
【００２０】
ゲル化剤は、医療用ジェルにおいて１重量％〜４重量％の間で存在してもよい。より具体的には、ゲル化剤は、医療用ジェルにおいて２．２重量％〜２．７重量％の間で存在してもよい。
【００２１】
少なくとも、ゲル化剤のいくつかのユニットは、式：
【化３】
0005881698.tif 000004
でもよい。
【００２２】
いくつかの特定の例において、ゲル化剤は、式：
【化４】
0005881698.tif 000005
でもよい。
【００２３】
ゲル化剤の粘度は、２％の水溶液の場合、約１００，０００ｃｐｓでもよい。
【００２４】
抗微生物剤は第四級アンモニウム化合物でもよい。例えば、抗微生物剤は塩化ベンザルコニウムでもよい。抗微生物剤は、医療用ジェルにおいて０．０９０重量％〜０．１１０重量％の間で存在してもよい。より具体的には、抗微生物剤は、医療用ジェルにおいて０．０９５重量％〜０．１０５重量％の間で存在してもよい。
【００２５】
水は、医療用ジェルにおいて８０重量％〜９９重量％で存在してもよい。より具体的には、水は、医療用ジェルにおいて９３重量％〜９６重量％で存在してもよい。
【００２６】
他の一側面によると、医療用ジェルは、ａ）医療用ジェルにおいて１重量％〜４重量％で存在するエーテル化したヒドロキシエチルセルロース、ｂ）医療用ジェルにおいて０．０９０重量％〜０．１１０重量％で存在する塩化ベンザルコニウム、ｃ）医療用ジェルにおいて３．０重量％〜３．５重量％で存在するプロパンジオール、および、ｄ）医療用ジェルにおいて８０重量％〜９９重量％で存在する水、を含む。
【００２７】
詳細な説明
多様な器具または工程が、それぞれの請求項に係る発明の態様の例を提供するために以下に記述される。下記に記述する態様は、いずれの請求項に係る発明を限定するものでなく、請求項に係る発明はいずれも、以下に記述されていない工程または器具を含んでもよい。請求項に係る発明は、以下に記述されているいずれか１つの器具もしくは工程の特徴の全てを有する器具または工程、または、以下に記述されている器具の多くのもしくは全てに共通する特徴に限定されない。以下に記述された器具または工程が、この特許出願の発行によって与えられるいかなる独占権の態様でもないことは可能である。以下に記述される器具または工程において開示されるいかなる発明であって、この特許出願の発行によって独占権が、与えられないものは、他の保護手段、例えば、連続する特許出願の対象になってもよく、出願人、発明者または所有者は、この書類における公表によって、発明のいずれも放棄する、棄権する、または公共の用に供することを意図しない。
【００２８】
皮膚超音波、物理療法、医療美容処置および他の関係する処置における使用に適している医療用ジェルは、好ましくはいくつかの基準を満たす。特に、医療用ジェルは好ましくは（１）透明であり、その結果、肌がジェルを通して見られることができ、（２）乾燥耐性であり、その結果、ジェルが乾ききることなく、および（３）十分な拡散能力を有し、その結果、肌全体に広がることができる。さらなる好ましい性質は（１）潤滑性能を有し、その結果、ジェルが肌を滑りやすくなり、（２）粘性および付着性を有し、その結果、ジェルが肌から流れ落ちず、（３）耐酸性を有し、その結果、医療用ジェルが肌を刺激せず、（４）仮の可塑性（pseudoplasticity）を有し、その結果、医療用ジェルを調合することができ、および（５）最小の通気性（aeration）を有し、その結果、小さな泡としてのいかなる過度の空気連行（air entrainment）はジェルを通して潜在的に透過手段（instrument transmissions）を損なわない。さらに、超音波において使用される医療用ジェルは、超音波処置の間、それが画像のゆがみを引き起こさないために、好ましくは超音波波に対して無反射（non-reflective）および非屈折性（non-refractive）である。
【００２９】
現在使用されている医療用ジェルは、一般に上記の基準を満たす。しかしながら、これは抗微生物医療用ジェルのケースではない。具体的には、抗微生物剤である医療用ジェルを製造するために試みがされているが、出願人は上記に概説した基準を満たすことができるいかなるものも知らない。例えば、下記の例の段落において述べるように、出願人は、O’Reilly ら (上記に述べた)によって開示されている抗微生物ジェルの多様な成分におけるきわめて多数の試験を行った。これらの試験によると、O’Reillyらによって記述されている抗微生物ジェルは、比較的に不透明であり、医療用ジェルとしての使用のために十分に透明ではないだろうと考えられている。さらに、O’Reilly らによって記述されている抗微生物ジェルは、医療用ジェルとしての使用のために十分に耐乾燥性がないと考えれている。最後に、O’Reilly らによって記述されている抗微生物ジェルは、医療用ジェルとしての使用のために十分に拡散できないと考えられている。したがって、O’Reilly らによって開示されている抗微生物ジェルは、皮膚超音波、物理療法、医療美容処置、 および他の関係する処置における使用のために理想的または好ましくはないだろうと考えられている。
【００３０】
本開示は、上述の基準(下記の例の段落で述べるように)を満たすと考えられ、それゆえ皮膚超音波、物理療法、医療美容処置、 および他の関係する処置における使用のために適すると考えられている抗微生物医療用ジェルを提供する。
【００３１】
本開示の抗微生物医療用ジェルは、一般に（a）ゲル化剤、（ｂ）抗微生物剤、（ｃ）溶媒、および（ｄ）水を含む。
【００３２】
いくつかの例において、ゲル化剤は、医療用ジェルにおいて１重量％〜４重量％の間、およびより詳しくは２．２０重量％〜２．７０重量％の間で存在する。抗微生物剤は、医療用ジェルにおいて０．０９０重量％〜０．１１０重量％の間、およびより詳しくは０．０９５重量％〜０．１０５重量％の間で存在してもよい。溶媒は、医療用ジェルにおいて３．０ 重量％〜３．５ 重量％、およびより詳しくは３．１重量％〜３．３重量％の間で存在してもよい。水は約８０重量％〜９９重量％の間、およびより詳しくは９３ 重量％ 〜 ９９重量％の間で存在してもよい。
【００３３】
いくつかの例において、ゲル化剤はヒドロキシエチルセルロースでもよい。いくつかの特定の例において、ゲル化剤はエーテル化したヒドロキシエチルセルロースでもよい。
ここで使用されるように、「エーテル化したヒドロキシエチルセルロース」なる用語は、繰り返し単位の少なくともいくつかの置換基の少なくとも１つが、１以上のエーテル基を含むヒドロキシエチルセルロースを指す。例えば、ヒドロキシエチルセルロース は、一般に次の化学式によって表されてもよい（他の化学式も可能であるが）。
【化５】
0005881698.tif 000006
例示のエーテル化したヒドロキシエチルセルロースにおいて、化学式（１）において示されている分子の繰り返し単位の少なくともいくつかは、次のものにとって代わる。
【化６】
0005881698.tif 000007
上記で見ることができるように、化学式（２）において、化学式（１）と比較されるように、置換基は第２のエーテル基を含む。
【００３４】
１つの特定の例において、エーテル化したヒドロキシエチルセルロースは次の化学式のものでもよい。
【化７】
0005881698.tif 000008
【００３５】
化学式（３）と一致する、１つの適するエーテル化したヒドロキシエチルセルロースは、Tylose（登録商標） HS 100000 YP2という名前の下で、信越化学工業 (東京、日本)により販売されている。この特定のエーテル化したヒドロキシエチルセルロースは、２％水溶液の場合、約１００,０００cpsの粘度を有し、１８０ミクロンよりも小さなサイズの粒子をもつ。
【００３６】
下記の例の段落において概説されるように、エーテル化したヒドロキシエチルセルロースの使用は、抗微生物医療用ジェルとしての使用に適する製品を生むと考えられている。
【００３７】
具体的には、エーテル化したヒドロキシエチルセルロースの使用は、他の抗微生物医療用ジェルと比較された場合、十分に清澄である抗微生物医療用ジェルを生むと考えられている。
【００３８】
代わりの例において、代わりの適するゲル化剤を使用してもよい。
【００３９】
いくつかの例において、抗微生物医療用ジェルの抗微生物剤は、塩化ベンザルコニウムのような第四級アンモニウム化合物でもよい。１つの適する塩化ベンザルコニウムは、Stepanquat（登録商標）５０NFという商標名のもとで、Stepan Company (ノースフィールド, イリノイ)により販売されている。代わりに、抗微生物剤は、クロルヘキシジンまたは塩化セチルピリジニウムのような他の第四級アンモニウム化合物でもよい。
【００４０】
さらに代わりの例において、抗微生物剤は、クロロブタノール、クロロキシリノール（ Chloroxylinol）、トリクロサン、またはセトリミド（アルキルメチル臭化アンモニウム） (Alkylmethyl ammonium Bromide)であってもよい。
【００４１】
いくつかの例において、抗微生物医療用ジェルの溶媒は、非石油系溶媒（すなわち、プピレングリコールまたはブチレングリコールでない）である。例えば、溶媒はプロパンジオールでもよい。１つの適するプロパンジオールは、Zemea（商標）という商標名のもとでDupontによって販売されている。以下の例の段落において概説されているように、溶媒としてプロパンジオールの使用は、抗微生物医療用ジェルとして使用に適する製品を生むと考えられている。具体的には、溶媒としてのプロパンジオールの使用は、他の抗微生物医療用ジェルよりも、より透明で、より乾燥耐性がある、およびより拡散する性質の抗微生物医療用ジェルを生むと考えられている。
【００４２】
代わりの適する非石油系溶媒は水溶性分散剤、ポリソルベート、ポリエチレングリコール、またはジグリセロールのような界面活性剤を含む。
【００４３】
代わりの例において、溶媒は石油溶媒でもよい。
【００４４】
本開示の抗微生物医療用ジェルは、麻酔剤、臭気マスキング剤（odor masking agent）、生物粘着剤または保湿剤（moisturizer）のような、多様な追加的な任意の成分を随意に含んでもよい。
【００４５】
抗微生物医療用ジェルの調製のために、ゲル化剤は水中に、振動および熱で分散してもよい。例えば、ゲル化剤および水は、おおよそ１０〜２０分混ぜてもよい。代わりの例において、混ぜるために必要とされる時間は、バッチサイズによって１０分よりも短くまたは、２０分よりも多くてもよい。混ぜている間、混合はおおよそセ氏６５〜７５℃の間、およびより具体的には、おおよそセ氏７０℃で熱せられてもよい。混合は、それからおおよそセ氏５０℃より下まで冷してもよい。
【００４６】
代わりの例において、水中でのゲル化剤の分散の後で、結果として生じる混合は、かわるがわるまたは追加的にアルカリで処理され、およびそれから酸性にされてもよい。
【００４７】
溶媒は、抗微生物剤が溶けるまで、抗微生物剤と混合してもよい。溶液はそれから水およびゲル化剤の混合を加えてもよく、および結果として生じる組み合わせは、それが一般に均一および粘着性のある１つのかたまりが達成されるまで混ぜられてもよい。
混合は、空気の混入を避けるためにゆっくりと随意に遂行されてもよい。
【００４８】
例
例1
抗微生物医療用ジェルは、上記で述べたように、次の構成物で調製した。
ゲル化剤 ： ２．６ 重量％ エーテル化したヒドロキシエチルセルロース (ShinEtsu Tylose（登録商標） HS 100000 YP2) 
抗微生物剤： ０．２ 重量％ 塩化ベンザルコニウム (Stepanquat（登録商標）50 NF); 
溶媒: ３．２重量％プロパンジオール (Dupont Zemea（商標）)
および、
水：９４重量％
【００４９】
抗微生物医療用ジェルの抗微生物の有効性（USP５１）を、GAP Enviro Microbial services (London, Ontario, Canada)による、区分1の製品として試験した。この試験は、２８日で、酵母およびカビにおいて、最初の算出されたカウントから増殖しないこと（すなわち０．５log１０ユニットより多くない）および、細菌において、算出されたカウントから２８日で、３．０ｌｏｇより小さい減少ではないことを必要とする。試験は、抗微生物医療用ジェルが、USP51によって必要とされているような抗微生物有効性の要件を満たすことを示す。
【００５０】
例２
異なるゲル化剤の種々の水溶液の濁度を測定した。試験は、溶液において０．１重量％の塩化ベンザルコニウムあり、およびなしの両方で行われた。アクアソニック・クリアー・ウルトラサウンド・ジェル(Aquasonic Clear Ultrasound gel)のコントロールサンプルがコントロールとして使用された。結果は、下記に表１において表されている。濁度は、Hack Model 2100 Laboratory Turbidimeterを用いて測定される。
【表１】
0005881698.tif 000009
表１：種々のゲル化剤の濁度
【００５１】
前述の部分において言及したように、ShinEtsu Tylose（登録商標）HS 100000YP2 HECは、上記化学式（３）に相当するエーテル化したヒドロキシエチルセルロースである。Natrosol 250 HHR ヒドロキシエチルセルロースは、エーテル化したヒドロキシエチルセルロースではない。
【００５２】
驚いたことに、表１において表される結果は、エーテル化したヒドロキシエチルセルロース、および特に上記化学式（３）によるエーテル化したヒドロキシエチルセルロースで調製された水溶液は、ヒドロキシエチルセルロースの他のタイプで調製された溶液より不透明でない（すなわち、より透明）ことを示す。表１における結果に基づいて、エーテル化したヒドロキシエチルセルロース、および特に上記化学式（３）によるエーテル化したヒドロキシエチルセルロースで調製された抗微生物医療用ジェルは、他の抗微生物医療用ジェルよりも濁度が小さい（すなわち、より清澄）と考えられている。
【００５３】
例３
種々の溶媒を有する種々のジェルの濁度を測定した。すべてのジェルは、前述のように調製した。すべてのジェルは、ゲル化剤としてShinEtsu Tylose（登録商標） HS 100000YP2 HECのエーテル化したヒドロキシエチルセルロースで作成した。すべてのジェルは抗微生物剤として塩化ベンザルコニウムで作成した。濁度は、Hack Model 2100 Laboratory Turbidimeterを使用して測定された。結果は下記表２において表されている。
【表２】
0005881698.tif 000010
表２：種々の溶媒の濁度
【００５４】
驚いたことに、表２において表されている結果は、プロパンジオールで調製した抗微生物医療用ジェルが、石油触媒を含む他の溶媒で準備された抗微生物医療ジェルより濁度が小さい（すなわち、より透明）ことを示す。
【００５５】
例４
種々の溶媒を有する種々のジェルの耐乾燥性を測定した。すべてのジェルは前述のように調製した。すべてのジェルは、ゲル化剤としてShinEtsu Tylose（登録商標） HS 100000YP2 HEC のエーテル化したヒドロキシエチルセルロースで作成した。すべてのジェルは抗微生物剤として塩化ベンザルコニウムを用いて作成した。耐乾燥性は、ガラスのスライドの上のサンプルの既知の量を量り、そして、量られたスライドをセ氏３８度でインキュベーター・オーブン・セット（incubator oven set）へ置くことによって測定した。スライドは2時間間隔で取り出されそして量を量られた。結果は、下記表３において表されている。
【表３】
0005881698.tif 000011
表３：種々の溶媒の耐乾燥性
【００５６】
驚いたことに、表３において表されている結果は、プロパンジオールで調製された抗微生物医療用ジェルが、非石油系溶媒を含む他の溶媒を用いて調製された抗微生物医療用ジェルよりもより良い耐乾燥性を見せることを示す。
【００５７】
例５
種々の溶媒の拡散する能力を測定した。抗微生物剤を含む溶媒は、抗微生物剤のない溶媒と同様に、試験した。塩化ベンザルコニウムを、抗微生物剤として使用した。拡散能力は、スタンダードNo. １  フィルターペーパー（Standard No. 1 filter paper）へ液体の一滴を落とすことおよび、それぞれの滴の直径を種々の時間期間で測定することによって測定された。結果は、下記表３において示され、およびそれぞれのサンプルにつき３つの試験後に得られた平均結果を示す。
【表４】
0005881698.tif 000012
【００５８】
実際には、医療用ジェルに必要とされる最適な物理的性能の時間は、拡散能力試験のために観察されたものよりもかなり小さい持続性であろう。しかしながら、結果は溶媒密度、湿潤性、拡散能力の間のバランスを示す。グリセリンは、著しく他の溶媒よりも濃密であるから、とても小さな初期小滴直径を見せた。グリセリン小滴のサイズにおける相対的な割合変化は、グリセリンの大きな湿潤能力のため引き起こされたと考えられる。しかしながら、早い湿潤性は、短い期間の潤滑性能の助けとならず、媒体周辺の長い期間の乾燥と同様に、ジェルの過度粘着を生じ得る。
【００５９】
例６
抗微生物医療用ジェルの３サンプルは上記で述べるように、次の構成物で調製した。
ゲル化剤: ２．６重量％ エーテル化したヒドロキシエチルセルロース (ShinEtsu Tylose （登録商標）HS 100000 YP2)
抗微生物剤: ０．２重量％ 塩化ベンザルコニウム (Stepanquat（登録商標）  50 NF) 
溶媒: ３．２重量％ プロパンジオール (Dupont Zemea（商標）)
および
水: ９４重量％
【００６０】
ジェルの酸性は、ペーハーメーター（PH  meter）(Hanna Instruments)によって測定した。抗微生物医療用ジェルの酸性は６．５〜８．５の間で測定した。このペーハーは医療用ジェルとしての使用に適する。
【００６１】
追加的な観察
次の観察は、上記例1〜６に述べるように調製されたジェルに関して行った。
・  ジェルは、仮の可塑性（シェアーシニング）(shear thinning)を示し、搾り出し容器からただちに調剤可能であることが観察された。
・  ジェルは、医療用ジェルとしての使用に適する粘性をもつように見えた。
・  ジェルは、医療用ジェルとしての使用のために適する滑らかさであるように見えた。
・  ジェルは、最小の空気の閉じ込め（air entrapment）を示すように見えた。これは、エーテル化したヒドロキシエチルセルロースのゆっくりした可溶性のためだと考えられ、それはゲルから空気を放出するための時間を与える。
【００６２】
参考文献
1. "Risk of Staphylococcus Aureus Transmission during Ultrasound Investigation," Journal of Ultrasound in Medicine, November 1989 8 (11): 619 20
2. “Burkhold eriacepacia Infections Associated with Intrinsically Contaminated Ultrasound Gel: The Role of Microbial Degradation of Parabens”, Hutchinson J. et al., Infection Control and Hospital Epidemiology; 2004, vol. 25 No. 4
3. “An Outbreak of Pyodermas Among Neonates Caused by Ultrasound Gel Contaminated with Methicillin-Susceptible Staphylococcus aureus”, Weist K. et al., Infection Control and Hospital Epidemiology; 2000, vol. 21 No. 12
4. "How the Tribune Analyzed Infection Cases," Chicago Tribune (July 21, 2002)
5. "The Use of Economic Modeling to Determine the Hospital Costs Associated with Nosocomial Infections", RR Roberts et al., Clinical Infectious Diseases 36.11 (2003) 1424-1432
6. "A Systematic Audit of Economic Evidence Linking Nosocomial Infections and Infection Control Interventions, 1990-2000", American Journal of Infection Control 30.3 (2002): 145-52.
7. Brief to the National Advisory Committee on SARS and Public Health, July 30, 2003. http://www.chica.org/nacsph.html
8. “Managing hospital infection control for cost-effectiveness: a strategy for reducing infectious complications”, Haley RW, Chicago: American Hospital Publishing, 1986
9. “Notice to hospitals: important safety information on ultrasound andmedical gels”, Health Canada, October 20, 2004, Available: www.hc-sc.gc.ca/hpfb-dgpsa/tpd-dpt/ultrasoundgel_e.html (accessed 2004 Oct 27).
10. “Hospital Infections: Preventable and Unacceptable”, Betsy Mccaughey, The Wall Street Journal , August 14, 2008; Page A11
11. “An Epidemic, Toxin Gene-Variant Strain of Clostridium difficile”, L. Clifford McDonald, M.D. et al.
12. “Risk of Staphylococcus Aureus Transmission during Ultrasound Investigation" Journal of Ultrasound in Medicine, November 1989 8 (11): 619 20 
13. “Fomites and Infection transmission”, Infection Control Today magazine, November 7, 2006